(57)【特許請求の範囲】
【請求項１】
通信料の決済がクレジットカードにて行なうことのできる電話端末に対して入力されたクレジットカード情報を暗号化するための暗号化処理方法において、
当該電話端末のオフクック操作からクレジットカード情報の入力操作完了までの間の所定タイミングにてクレジットカード情報の暗号化に使用される鍵情報の暗号化処理を開始するステップと、
上記クレジットカード情報の入力操作が完了した後に、上記鍵情報を用いて入力されたクレジットカード情報の暗号化処理を開始するステップと、
を有し、前記鍵情報の暗号化処理では乱数が公開鍵で暗号化され、前記クレジットカード情報の暗号化処理では、前記乱数が共有鍵として使用される
ことを特徴とするクレジットカード情報の暗号化処理方法。
【請求項２】
請求項１記載のクレジットカード情報の暗号化処理方法において、
上記所定のタイミングが、当該電話端末のオフクック操作の検出タイミングとなるクレジットカードの暗号化処理方法。
【請求項３】
クレジットカード情報が入力された際に通信料の決済がクレジットカードにて行なうことのできる電話端末において、
オフフック操作からクレジットカード情報の入力操作完了までの間の所定タイミングにてクレジットカード情報の暗号化に使用される鍵情報の暗号化処理を開始させる第一の暗号化処理制御手段と、
上記クレジットカード情報の入力操作が完了した後に、上記鍵情報を用いて入力された情報の暗号化処理を開始させる第二の暗号化処理制御手段と、
を有し、前記鍵情報の暗号化処理では乱数が公開鍵で暗号化され、前記クレジットカード情報の暗号化処理では、前記乱数が共有鍵として使用される
ことを特徴とする電話端末。
【請求項４】
請求項３記載の電話端末において、
上記第一の暗号化処理制御手段は、当該電話端末のオフクック操作を検出するオフフック検出手段を有し、
該オフクック検出手段による当該電話端末のオフクックの検出タイミングを上記所定のタイミングとして上記鍵情報の暗号化処理を開始させるようにした電話端末。
【発明の詳細な説明】
【０００１】
【発明の属する技術分野】
【０００２】
本発明は、クレジットカードの番号等のクレジットカード情報を入力して通話を行なった際に、通話料の決済が当該クレジットカードにて行なうことのできるようにしたクレジットカード決済型電話端末におけるクレジットカード情報の暗号化処理制御方法に係り、詳しくは、クレジットカード決済型電話端末に入力されたクレジットカード情報を与信判定を行なうクレジットカードセンタに向けて送信する際に当該クレジットカード情報を暗号化するための暗号化処理制御方法に関する。
【０００３】
また、本発明は、入力されたクレジットカード情報をそのような暗号化処理制御方法に従って暗号化するようにしたクレジットカード決済型電話端末に関する。
【従来の技術】
【０００４】
従来、クレジットカードにて通話料の決済が可能な電話端末では、クレジットカードの番号や暗証番号（クレジットカード情報）をプッシュボタンにて入力したり、カードリーダによりクレジットカードに格納された情報（クレジットカード情報）を入力する必要がある。このようにクレジットカード情報が電話端末に入力されると、そのクレジットカード情報が当該電話端末から所定の通信網を介してクレジットセンタに送信される。クレジットセンタにてなされるそのクレジットカード情報に基づいた与信判定の結果が正常なものであれば、当該電話端末と通信相手の通信端末との間の回線が接続されて当該電話端末での通話が可能となる。
【０００５】
通話が終了すると、その通話時間に対応した通話料が電話端末を管理する通信事業者からクレジットカードセンタに対して請求され、クレジットカード情報で特定される者の通話料の決済が行なわれる。
【０００６】
ところで、このような従来のクレジットカード決済型電話端末では、クレジットカード情報の秘匿性を確保するために、入力されたクレジットカード番号を暗号化し、その暗号化されたクレジットカード情報をクレジットセンタに向けて送信することが考えられる。
【発明が解決しようとする課題】
【０００７】
このようにクレジットカード情報を電話端末にて暗号化する場合、クレジット情報の秘匿性を高めるために当該クレジットカード情報を強固に暗号化しようとすると、その暗号化処理に要する時間が長くなる。しかし、相手先の電話番号の入力操作を終えてもまだ暗号化処理が終了していないと、利用者の待ち時間が長くなってサービスの低下を招いてしまう。
【０００８】
このような状況を解決するため、処理能力の高い処理ユニット（ＣＰＵ等）をクレジットカード決済型電話端末に搭載することが考えられる。しかし、そのような処理能力の高い処理ユニットをクレジットカード決済型電話機に搭載することはコストなどの点から好ましくない。
【０００９】
そこで、本発明の第一の課題は、できるだけ高いクレジットカード情報の秘匿性が確保できると共に、クレジットカード決済型電話端末においてクレジットカード情報の入力操作が行なわれてから暗号化処理が完了するまでのまでの時間をできるだけ短くできるようなクレジットカード情報の暗号化処理方法を提供することである。
【００１０】
また、本発明の第二の課題は、入力されたクレジットカード情報をそのようなクレジットカード情報の暗号化処理制御方法に従って暗号化するようにしたクレジット決済型電話端末を提供することである。
【課題を解決するための手段】
【００１１】
上記第一の課題を解決するため、本発明は、通話料の決済がクレジットカードにて行なうことのできる電話端末に対して入力されたクレジットカード情報を暗号化するための暗号化処理方法において、当該電話端末のオフクック操作からクレジットカード情報の入力操作完了までの間の所定タイミングにてクレジットカード情報の暗号化に使用される鍵情報の暗号化処理を開始し、上記クレジットカード情報の入力操作が完了した後に、上記鍵情報を用いて入力されたクレジットカード情報の暗号化処理を開始するように構成される。
【００１２】
このようなクレジットカード情報の暗号化処理方法では、クレジットカード情報の入力操作が完了する前に既にクレジットカード情報の暗号化に使用される鍵情報の暗号化が開始される。そして、クレジットカード情報の入力操作が完了した後に、その鍵情報を用いて入力されたクレジットカード情報の暗号化処理が開始される。従って、実際にクレジットカード情報の入力がなされる前から当該クレジットカード情報の暗号化に必要な情報の暗号化処理が開始さることになり、電話端末の利用者が行なうオフクック操作からクレジットカード情報の入力操作までの時間を有効に暗号化処理に利用することが可能となる。
【００１３】
上記クレジットカードは、料金の決済を行なえるカードであれば特に限定されず、磁気的、光学的にクレジットカード情報を読取ることのできるカード、あるいは、電気的にクレジットカード情報を読取ることのできるＩＣカードであってもよい。
【００１４】
上記鍵情報の暗号化の手法及び該鍵情報を用いたクレジットカード情報の暗号化の手法は特に限定されない。
【００１５】
利用者による操作時間をより多く暗号化処理に利用できるという観点から、本発明は、上記暗号化処理方法において、上記所定のタイミングが、当該電話端末のオフクック操作の検出タイミングとなるように構成されてもよい。
【００１６】
このような暗号化処理方法では、利用者がオフクック操作を行なった直後にクレジットカード情報の暗号化に使用される鍵情報の暗号化のための処理を開始することができる。
【００１７】
上記第二の課題を解決するため、本発明は、クレジットカード情報が入力された際に通話料の決済がクレジットカードにて行なうことのできる電話端末において、オフフック操作からクレジットカード情報の入力操作完了までの間の所定タイミングにてクレジットカード情報の暗号化に使用される鍵情報の暗号化処理を開始させる第一の暗号化処理制御手段と、上記クレジットカード情報の入力操作が完了した後に、上記鍵情報を用いて入力されたクレジットカード情報の暗号化処理を開始させる第二の暗号化処理制御手段とを有するように構成される。
【発明の実施の形態】
【００１８】
以下、本発明の実施の形態を図面に基づいて説明する。
【００１９】
本発明の実施の一形態に係るクレジットカード決済型電話端末を含む通信システムは、例えば、図１に示すように構成される。
【００２０】
図１において、クレジットカード決済型電話端末（以下、単に電話端末という）１０は無線機２０に接続されている。この電話端末１０は無線機２０と共に車両、船舶、航空機などの移動体に搭載される。無線機２０は、移動通信システムにおける通信端末であり、交換機１００に接続された基地局１０１と無線通信を行なう。交換機１００は所定の通信網ＮＷに接続され、電話端末１０は、無線機２０、基地局１０１、交換機１００及び通信網ＮＷを介して他の電話端末と音声通信（通話）を行なえるようになっている。
【００２１】
また、交換機１００にはクレジットカード認証サーバ１１０が接続される。このクレジットカード認証サーバ１１０は、更に、クレジットカードによる決済に際して与信判定を行なうクレジットカードセンタ２００に、例えば、専用線によって接続されている。上記クレジットカード認証サーバ１１０は、後述するように、電話端末１０からの暗号化されたクレジットカード情報を無線機１０、基地局１０１及び交換機１００を介して受信し、その暗号化されたクレジットカード情報を復号する。そして、その復号により得られた元のクレジットカード情報がクレジット認証サーバ１１０からクレジットカードセンタ２００に送信される。
【００２２】
クレジットカードセンタ２００は、受信したクレジットカード情報に基づいて与信判定処理を行ない、その判定結果をクレジットカード認証サーバ１１０に返す。クレジットカード認証サーバ１１０はその与信判定の結果を交換機１００に送信し、交換機１００は、その与信判定結果に応じて電話端末１０に対する通話回線の接続または接続拒否の制御を行う。
【００２３】
上記電話端末１０は、例えば、図２に示すように構成されている。
【００２４】
図２において、電話端末１０は、送受話部１１、音声処理部１２、カード読込み部１３、暗号化部１４、制御部１５、ダイヤル入力部１６及び表示部１７を有している。制御部１５は上記無線機２０に接続されている。
【００２５】
送受話部１１は、送受話器を有し、利用者からの音声の入力及び利用者に対する音声の出力を行なう。音声処理部１２は、送受話部１１からの入力音声信号に対して所定の処理（例えば、符号化処理等）を施し、その処理にて得られた音声信号が制御部１５を介して無線機２０に供給される。また、音声処理部１２は、無線機２０からの受信音声信号に対して所定の処理（例えば、復号処理等）を施し、その処理にて得られた音声信号が送受話部１１に送られる。
【００２６】
カード読込部１３は、利用者がクレジットカードの読取り操作を行った際に、そのクレジットカードに例えば磁気的に記憶されたカード番号等のクレジットカード情報を読取る。暗号化部１４は、カード読込部１３にてクレジットカードから読取られたクレジットカード情報を後述するような手順に従って暗号化する。この暗号化されたクレジットカード情報は、制御部１５を介して無線機２０に供給され、無線機２０から送信される。
【００２７】
ダイヤル入力部１６は、利用者が通話相手の電話番号等を入力するために用いられ、その操作に対応したダイヤル情報が制御部１５に供給される。表示部１７は、制御部１５の制御のもとにメッセージなどの表示を行なう。
【００２８】
制御部１５は、暗号化部１４に対する暗号化処理の開始指示、表示部１７に対するメッセージ表示制御など電話端末１０の各部の制御を行うと共に無線機２０に対するインタフェースを行なう。
【００２９】
利用者がクレジットカードを用いて当該電話端末１０から電話をかける場合、当該電話端末１０では、次のような処理が行なわれる。
【００３０】
制御部１５は、例えば、図３乃至図５に示す手順に従って処理を行うと共に、暗号化部１４は、図６に示す手順に従って処理を行う。
【００３１】
図３において、制御部１５は、送受話部１１においてオフクック操作がなされたか否かの判定を行なっている（Ｓ１）。この状態で、利用者が電話をかけるためにオフクック操作を行ない、そのオフクック操作が検出されると（Ｓ１でＹＥＳ）、制御部１５は、暗号化部１４に対して第一暗号化処理の開始指示を供給する（Ｓ２）。この第一暗号化処理の開始指示を入力した暗号化部１４は、後述するように第一暗号化処理を開始する。このように利用者のオフフック操作がなされた直後に第一暗号化処理が開始される。
【００３２】
上記のように第一暗号化処理の開始指示を出力した制御部１５は、利用者によるクレジットカードの読込操作が完了したか否かの判定を行なう（Ｓ３）。上記のようにオフクック操作を行なった利用者が更にクレジットカードの読込み操作を行なって、クレジットカードの読込み操作が完了したと判定されると（Ｓ３でＹＥＳ）、制御部１５は、クレジットカードから読取られたクレジットカード情報（カード番号、有効期限などの情報）をカード読込部１３から取得する（Ｓ４）。そして、制御部１５は、そのクレジットカード情報に基づいて有効期限のチェック、及びクレジットカード情報に含まれるパリティビットを用いた読取りエラーチェックの各処理を行なう（Ｓ５、Ｓ６）。その各チェックの結果、そのクレジットカードが有効でないものであると判定すると（Ｓ５またはＳ６でＮＧ）、制御部１５は、表示部１７にそのクレジットカードが無効である旨の表示をさせ（Ｓ１１）、処理を終了する。この場合、利用者はクレジットカードを利用して電話をかけることができない。
【００３３】
一方、上記各チェックの結果、そのクレジットカードが有効なもであると判定すると（Ｓ５、Ｓ６でＹＥＳ）、制御部１５は、表示部１７に対してダイヤル入力指示のメッセージを表示させると共に（Ｓ７）、暗号化部１４に対して第二暗号化処理の開始指示を供給する（Ｓ８）。そして、制御部１５は、暗号化部１４からの暗号化処理完了の報告待ち状態となる（Ｓ９）。
【００３４】
上記のようにして表示部１７にはダイヤル入力指示のメッセージが表示されるので、それを見た利用者は、ダイヤル入力部１６にて通話相手先の電話番号のダイヤル入力操作を行なうことができる。
【００３５】
上記のようにして利用者の電話端末１０での操作（オフクック操作、クレジットカード読取り操作）に同期して送出される第一暗号化処理の開始指示及び第二暗号化処理の開始指示を受信する暗号化部１４は、例えば、図６に示す手順に従って処理を行なう。
【００３６】
図６において、暗号化部１４は、第一暗号化処理の開始指示が制御部１５から受信されるか否かを判定している（Ｓ４１）。この状態で、上記のようにしてオフフック操作後に制御部１５から供給される第一暗号化処理の開始指示を受信すると（Ｓ４１でＹＥＳ）、暗号化部１４は第一暗号化処理を行なう。この第一暗号化処理では、乱数が発生され（Ｓ４２）、その乱数が公開鍵方式に従って暗号化される（Ｓ４３）。
【００３７】
この第一暗号化処理はオフクック操作後の制御部１５からの指示に従って開始されるので、この第一暗号化処理が行なわれている間、並列的に、上述したような利用者によるクレジットカードの読取り操作、制御部１５によるクレジットカードの有効性チェック（図３におけるＳ３乃至Ｓ６参照）等が行なわれる。即ち、暗号化部１４での第一暗号化処理は、利用者によるクレジットカードの読取り操作と制御部１５での各チェック処理の時間を利用して行なわれることになる。
【００３８】
上記のような第一暗号化処理が終了すると、暗号化部１４は、制御部１５から上述した第二暗号化処理の開始指示がなされたか否かを判定する（Ｓ４４）。この時点で既に第二暗号化処理の開始指示がなされている場合または、第二暗号化処理の開始指示の待ち状態（Ｓ４４でＮＯ）においてその開始指示が制御部１５からなされると（Ｓ４４でＹＥＳ）、暗号化部１４は、第二暗号化処理を開始する（Ｓ４５）。この第二暗号化処理では、上記のように発生された乱数（Ｓ４２参照）を共有鍵として使用し、読み込まれたクレジットカード情報を暗号化する。
【００３９】
上記のようにして、第一暗号化処理及び第二暗号化処理が終了すると、暗号化部１４は、各処理にて暗号化された情報、即ち、暗号化された乱数及び暗号化されたクレジットカード情報を制御部１５に供給する（Ｓ４６）。
【００４０】
図３に戻って、上述したように第二暗号化処理の開始指示を暗号化部１４に供給した後（Ｓ８）に暗号化部１４からの暗号化処理完了の報告待ち状態となる（Ｓ９）制御部１５は、暗号化部１４からの暗号化情報の受信により暗号化処理の完了を判定すると（Ｓ９でＹＥＳ）、その暗号化された乱数及び暗号化されたクレジットカード情報を取得する（Ｓ１０）。そして、制御部１５は、図４に示す手順に従って処理を続行する。
【００４１】
図４において、各暗号化情報（乱数、クレジットカード情報）を取得した制御部１５は、ダイヤル入力部１６からの利用者による相手先の電話番号の入力（ダイヤル入力）が完了しているか否かを判定する（Ｓ２１）。前述したように表示部１７にダイヤル入力指示の表示がなされているが（Ｓ７参照）、それを見て利用者がダイヤル入力部１６を操作して相手先の電話番号の入力を行なう。この相手先の電話番号の入力が既に完了している場合または、この相手先の電話番号の入力の待ち状態においてその電話番号が入力されると（Ｓ２１でＹＥＳ）、制御部１５は、上記のように取得した暗号化された各情報（乱数、クレジットカード情報）及びダイヤル入力部１６から入力された相手先の電話番号を無線機２０に供給する（Ｓ２２）。そして、制御部１５は、表示部１７に「発信中」というガイダンスを表示させつつ（Ｓ２３）、ネットワーク側からの接続信号が無線機２０にて受信されるか否かの判定を繰返し行なう（Ｓ２４）。
【００４２】
上記のように暗号化された情報及び電話番号を受信した無線機２０は、その電話番号及びクレジットカード決済である旨を表す情報を含む発呼要求信号を送信する。この無線機２０が発呼要求信号を送信した後、例えば、図８に示す手順に従って、無線機２０、交換機１００、クレジットカード認証サーバ１１０及びクレジットカードセンタ２００の間で通信処理が行なわれる。
【００４３】
図８において、交換機１００は、無線機２０からの上記発呼要求信号を基地局１０１を介して受信すると（１）、その発呼要求信号に含まれるクレジットカード決済である旨を表す情報に基づいてクレジットカード決済での発呼であることを認識する。そして、交換機１００は、通話チャネルでの通信可能な状態であれば、発呼受付信号を無線機２０に送信し（２）、更に、接続信号を送信する（３）。この接続信号が交換機１００から無線機２０に送信された後に、無線機２０と交換機１００との間が通話チャネルにて接続される（４）。
【００４４】
図４に戻って、電話端末１０において、上述したように「発信中」というガイダンスが表示部１７に表示された状態（Ｓ２３参照）で接続信号が受信されたか否かの判定（Ｓ２４）を行なっている制御部１５は、上記のようにして当該接続信号が無線機２０にて受信されたことを判定すると（Ｓ２４でＹＥＳ）、表示部１７に表示されたガイダンスを「発信中」から「クレジットカード情報送出中」に切替える（Ｓ２５）。そして、制御部１５はクレジットカード情報の送出が終了したか否かの判定を繰返し行なう（Ｓ２６）。
【００４５】
図８に戻って、上記のように無線機２０と交換機１００とが通話チャネルにて接続されると、無線機２０は、電話端末１０から受けた（図３におけるＳ１０参照）暗号化されたクレジットカード情報及び暗号化された乱数をその通話チャネルを介して交換機１００に送信する（５）。交換機１００は、その受信した暗号化されたクレジットカード情報及び暗号化された乱数を認証要求信号に含めてクレジットカード認証サーバ１１０に送信する（６）。
【００４６】
図４に戻って、電話端末１０の制御部１５は、上記のようにして無線機２０から暗号化されたクレジットカード情報等の送信が終了したことを判定すると（Ｓ２６でＹＥＳ）、表示部１７に表示されたガイダンスを「クレジットカード情報送出中」から「カード認証中」に切替える（Ｓ２７）。そして、表示部１７に「カード認証中」のガイダンスが表示された状態で、制御部１５は、無線機２０と交換機１００との間の通信チャネルが切断されたか否かの判定（Ｓ２９）、通信相手と回線接続されたことを表す着側接続信号が受信されたか否かの判定（Ｓ３０）を繰返し行なう。
【００４７】
図８に戻って、上記のようにして交換機１００から送信された認証要求信号をクレジットカード認証サーバ１１０が受信すると、クレジットカード認証サーバ１１０は、その認証要求信号に含まれる暗号化された乱数を公開鍵を用いて復号して元の乱数を得、更にその乱数を用いて暗号化されたクレジットカード情報を復号する。そして、クレジットカード認証サーバ１１０は、そのクレジットカード情報をクレジットカードセンタ２００に送信して与信依頼を行なう（７）。このようにクレジットカードセンタ２００に与信依頼を行なった後、クレジットカード認証サーバ１１０は、交換機１００に認証中である旨の音声ガイダンスを交換機１００に送信する（８）。この音声ガイダンスを受信した交換機１００は、上述したように通話チャネルにて接続された無線機２０に対してその音声ガイダンス（認証中トーキー）を送信する（９）。
【００４８】
図４に戻って、上述したように表示部１７に「カード認証中」のガイダンスが表示されている状態で（Ｓ２７参照）、上記のように無線機２０が音声ガイダンスを受信すると、その音声ガイダンスが無線機２０から制御部１５に供給され、更に、制御部１５から音声処理部１２を介して送受話部１１に供給される。その結果、その認証中である旨の音声ガイダンスがトーキーとして送受話部１１から出力される（Ｓ２８）。
【００４９】
上述したように、当該電話端末１０の利用者は、相手先の電話番号の入力操作を終えた後、表示部１７に切替え表示されるガイダンス「発信中」、「クレジットカード情報送出中」及び「カード認証中」を見て処理の過程を確認できると共に、送受話器から出力される認証中である旨の音声トーキーを聞くことにより確実に認証が行なわれていることを確認することができる。
【００５０】
図８に戻って、上記のようにクレジットカード認証サーバ１１０から与信依頼を受けたクレジットカードセンタ２００では、公知の手順に従ってその与信依頼と共に受信したクレジットカード情報に基づいて与信判定処理が行なわれる。そして、その与信判定処理の結果がクレジットカードセンタ２００からクレジットカード認証サーバ１１０に送信される（１０）。その与信判定結果が正常（与信ＯＫ）であれば、クレジットカード認証サーバ１１０は認証がなされた旨（認証ＯＫ）の情報を交換機１００に送信する（１１）。この認証がなされた旨の情報を受信した交換機１００は、上述したように無線機２０から既に受信している相手先の電話番号に基づいてその相手先の電話端末に対する回線の接続を行ない（１３）、着側接続信号を無線機２０に送信する（１２）。
【００５１】
この状態で、無線機２０は通信相手の電話端末と回線で接続された状態となり、利用者は電話端末１０の送受話器（送受話部１１）を用いて相手先との通話が可能となる。
【００５２】
図４に戻って、上記のようにして無線機２０が着側接続信号を受信したことを制御部１５が判定すると（Ｓ３０でＹＥＳ）、制御部１５は、図５に示す手順に従った処理に移行し、表示部１７に表示されたガイダンスを「カード認証中」から「通話中」に切替える（Ｓ３１）。そして、制御部１５は、通信相手との通話が切断されたか否かの判定を繰り返し行う（Ｓ３２）。
【００５３】
図８に戻って、通話を行なっている利用者の送受話部１１のオンフック操作または、相手先の電話端末でのオンフック操作がなされると、交換機１００は、無線機２０と対手先の電話端末との回線を切断する（１４）。そして、交換機１００は通話時間に対応した通話料を請求金額とした料金請求情報をクレジットカード認証サーバ１１０を介してクレジットカードセンタ２００に送信する（１５、１６）。クレジットカードセンタ２００は、通常のクレジットカードでの決済処理と同様に、受信した料金請求情報に基づいて当該クレジットカード利用者に対する料金請求に係る処理及び当該移動通信システムを管理する通信事業者に対する料金支払いに係る処理を行なう。
【００５４】
また、交換機１００は、上記通話料を課金情報として無線機２０に送信する（１７）。
【００５５】
図５に戻って、上記のように表示部１７に「通話中」のガイダンスが表示された状態で、通信相手との通話が切断されたか否かの判定を行っている制御部１５が、通話の切断を検出すると（Ｓ３２でＹＥＳ）、更に、無線機２０にて課金情報を受信したか否かを判定する（Ｓ３３）。上記のように通話の切断により交換機００からの課金情報を無線機２０が受信すると、制御部１５は、その課金情報の受信を判定し（Ｓ３３でＹＥＳ）、受信した課金情報に基づいて表示部１７に通話料金を表示させる。その後、制御部１５での処理が終了される。
【００５６】
なお、クレジットカードセンタ２００で行なわれるクレジットカード情報に基づいた上記与信判定処理の結果が正常でない場合、クレジットカード認証サーバ１１０は、認証拒絶の情報を交換機１００に返す。その認証拒絶の情報を受信した交換機１００は、無線機２０との間の通信チャネルを切断する。その結果、図４において、制御部１５は、その通信チャネルの切断を判定すると（Ｓ２９）、表示部１７にクレジットカードの「取り扱い不可」のガイダンスを表示させ、その後、処理を終了する。この場合、利用者は、クレジットカード決済による通話を行なうことができない。
【００５７】
交換機１００での更に詳細な処理手順について説明する。交換機１１０は、図７に示す手順に従って処理を行なっている。
【００５８】
図７において、交換機１００は、前述したように、無線機２０からの発呼要求信号の受信（Ｓ５１）、その発呼要求信号に対する応答としての発呼受付信号の無線機２０への送信（Ｓ５２）、暗号化されたクレジットカード情報及び暗号化された乱数の受信（Ｓ５３）の各処理、更に、クレジットカード認証サーバ１１０との接続処理（Ｓ５４）、クレジットカード認証サーバ１１０への認証依頼を行なう（Ｓ５５）。そして、交換機１００は、クレジットカードの与信判定に基づいて利用者の認証が正常になされたか否かの判定を行う（Ｓ５６）。
【００５９】
この認証が正常になされると（Ｓ５６でＯＫ）、交換機１００は、上述した着側接続信号を送信して無線機２０と相手方の電話端末との回線接続を行ない（図８における（１２、１３参照）、通話時間のカウントを開始する（Ｓ５７）。このように通話時間のカウントが開始されると、交換機１００は、いずれかの端末でのオンフック操作に基づいた切断信号が受信されるか否かの判定を繰り返し行う（Ｓ５８）。そして、その切断信号が受信されると（Ｓ５８でＹＥＳ）、上記通話時間のカウントが停止される（Ｓ５９）。その後、交換機１００は、その通話時間のカウント結果に対応した通話料金を演算し、クレジットセンタ２００に通話料の請求を行なうべく、その通話料金の請求信号をクレジットカード認証サーバ１１０に送信する（Ｓ６０）。
【００６０】
上述した例では、第一暗号化処理にて乱数を公開鍵を用いて暗号化し、その後第二暗号化処理にてその乱数を共有鍵として用いてクレジットカード情報を暗号化しているため、クレジットカード情報の秘匿性を比較的高度に保つことができる。また、上記第一暗号化処理は、クレジットカード情報の読取り操作が行われる前のオフクック操作がなされた直後から開始されるため、利用者のオフフック操作からクレジットカード情報の読取り操作までに要する時間を有効に暗号化処理に利用することができる。
【００６１】
従って、制御部１５に比較的処理能力の低いＣＰＵを用いたとしても、第一暗号化処理が上記のような利用者の操作時間を有効に利用していることから、クレジット情報の読取り操作が終了した時点では、少なくとも第一暗号化処理は途中まで進められており（終了させるようにすることもできる）、このクレジットカード情報の読取り操作から最終的な暗号化の処理が終了するまでの時間を短くすることが可能となる。
【００６２】
そして、上記第一暗号化処理に要する時間、クレジットカードの各種チェックに要する時間及び第二暗号化処理に要する時間の総計を、利用者がオフフック操作を行なってから、クレジットカード情報の読込操作及び相手先の電話番号の入力操作が完了するまでの時間より短く設定することにより、利用者は、電話端末１０の処理のために通話が待たされているという感覚を抱くことはない。
【００６３】
上記例では、クレジットカード決済型電話端末１０を無線機２０に接続して移動通信システムにて利用するものであったが、固定電話機をクレジットカード決済型電話端末とすることもできる。
【００６４】
また、クレジットカードに磁気的に記憶されたクレジットカード情報をカード読込部１３により読み込むようにしているが、利用者が暗証番号と共にクレジットカード情報を電話端末１０のダイヤル入力部１６を用いて入力するようにしてもよい。
【００６５】
更に、上記例では、無線機２０と基地局１０１との間の無線区間が通話チャネルにて接続され、このクレジットカード情報がその通話チャネルを介して伝送されるので、クレジットカード情報の無線区間における秘匿性は更に向上する。
【００６６】
なお、上記例において、図３に示すＳ２での処理が第一の暗号化処理制御手段に対応し、Ｓ８での処理が第二の暗号化処理制御手段に対応する。
【発明の効果】
【００６７】
以上、説明したように、実施例記載の発明によれば、クレジットカード情報の暗号化に使用される鍵情報を暗号化すると共にその鍵情報を用いてクレジットカード情報を更に暗号化していることからクレジットカード情報の高度の秘匿性を確保することができる。また、実際にクレジットカード情報の入力がなされる前から当該クレジットカード情報の暗号化に必要な情報の暗号化処理が開始さることになり、電話端末の利用者が行なうオフクック操作からクレジットカード情報の入力操作までの時間を有効に暗号化処理に利用することが可能となることから、クレジットカード情報の入力操作が行なわれてから最終的に暗号化処理が完了するまでのまでの時間をより短くすることができる。
【００６８】
また、実施例記載の発明によれば、上記のような暗号化処理の方法に従ってクレジットカード情報の暗号化を行なうことのできるクレジットカード決済型電話端末を実現することができる。
【図面の簡単な説明】
【図１】  本発明の実施の一形態に係るクレジットカード決済型電話端末が適用される通信システムの構成例を示す図である。
【図２】  本発明の実施の一形態に係るクレジットカード決済型電話端末の構成例を示すブロック図である。
【図３】  図２に示すクレジットカード決済型電話端末の制御部での処理の手順（その１）を示すフローチャートである。
【図４】  図２に示すクレジットカード決済型電話端末の制御部での処理の手順（その２）を示すフローチャートである。
【図５】  図２に示すクレジットカード決済型電話端末の制御部での処理の手順（その３）を示すフローチャートである。
【図６】  図２に示すクレジットカード決済型電話端末の暗号化部での処理の手順を示すフローチャートである。
【図７】  図１に示す交換機での処理の手順を示すフローチャートである。
【図８】  無線機、交換機、クレジットカード認証サーバ、クレジットカードセンタの間でなされる通信処理の手順を示すシーケンス図である。
【符号の説明】
１０  クレジットカード決済型電話端末
１１  送受話部
１２  音声処理部
１３  カード読込部
１４  暗号化部
１５  制御部
１６  ダイヤル入力部
１７  表示部
２０  無線機
１００  交換機
１０１  基地局
１１０  クレジットカード認証サーバ
２００  クレジットカードセンタ
【図１】
0003913974.tif 000002
【図２】
0003913974.tif 000003
【図３】
0003913974.tif 000004
【図４】
0003913974.tif 000005
【図５】
0003913974.tif 000006
【図６】
0003913974.tif 000007
【図７】
0003913974.tif 000008
【図８】
0003913974.tif 000009